【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
以下の式を有するキレート化合物であって、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０である、
キレート化合物。
【請求項２】
以下の式を有するキレート化合物であって、
（（ＮＨ４）２ＳＯ４）ａ・（Ｈ２ＳＯ４）ｂ・（Ｈ２Ｏ）ｃ・（ＮＨ４ＨＳＯ４）ｘ
ａが少なくとも１であり、ｂが少なくとも１であり、ｃが少なくとも１であり、またｘが１〜１０であり、ならびに
前記分子化合物が、
約３％〜約６％の水素、
約１０％〜約１５％の窒素、
約２５％〜約３０％の硫黄、および
約５２％〜約６０％の酸素の元素組成を含んで成る、
キレート化合物。
【請求項３】
ａが１〜５であり、ｂが１〜５であり、ｃが１〜５であり、またｘが１〜１０である、請求項２に記載のキレート化合物。
【請求項４】
混合流体を形成するように、無水液体アンモニアおよび硫酸の第１部分をプロセス・ラインにおける流水に添加および混合すること、
前記混合流体を熱交換機に流すことによって該混合流体を冷却すること、ならびに
分子化合物を含んで成る生成物液体を形成するように、硫酸の第１部分よりも多い硫酸の第２部分を前記混合流体に添加することを含んで成る方法によって形成される、
キレート化合物。
【請求項５】
キレート化合物が以下の分子式を有し、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０である、請求項４に記載のキレート化合物。
【請求項６】
前記キレート化合物が結晶性である、請求項１〜５のいずれかに記載のキレート化合物。
【請求項７】
前記キレート化合物が含水性である、請求項１〜６のいずれかに記載のキレート化合物。
【請求項８】
前記キレート化合物が金属塩をキレート化することができる、請求項１〜７のいずれかに記載のキレート化合物。
【請求項９】
前記金属塩が、亜鉛、マグネシウム、マンガン、セレン、モリブデン、鉄、ホウ素、コバルト、銅の塩、またはそれらの組合せを含んで成る、請求項８に記載のキレート化合物。
【請求項１０】
前記キレート化合物が、水と混合される場合に約２未満のｐＨを有する、請求項１〜９のいずれかに記載のキレート化合物。
【請求項１１】
ａが１であり、ｂが１であり、ｃが１であり、またｘが１〜６である、請求項１〜１０のいずれかに記載のキレート化合物。
【請求項１２】
前記キレート化合物中の窒素原子が−３の酸化状態を有する、請求項１〜１１のいずれかに記載のキレート化合物。
【請求項１３】
前記キレート化合物中の硫黄原子が＋６の酸化状態を有する、請求項１〜１２のいずれかに記載のキレート化合物。
【請求項１４】
前記方法が、前記アンモニアを、大気圧を超える圧力で該アンモニアの沸点未満の温度まで冷却することによって、該アンモニアを液体として維持することをさらに含んで成る、請求項４またはそれに従属する請求項５〜１３のいずれかに記載のキレート化合物。
【請求項１５】
前記方法が、前記プロセス・ラインにおける圧力を約４０ｐｓｉｇ〜約８０ｐｓｉｇに維持することをさらに含んで成る、請求項４またはそれに従属する請求項５〜１４のいずれかに記載のキレート化合物。
【請求項１６】
前記方法が、最終生成物を形成するように、前記ベース生成物流体と金属塩および水とを組合せることをさらに含んで成る、請求項４またはそれに従属する請求項５〜１５のいずれかに記載のキレート化合物。
【請求項１７】
水溶液中に複数の請求項１〜１６のいずれかに記載のキレート化合物を含んで成る、キレート流体。
【請求項１８】
ベース生成物流体の製造方法であって、
プロセス・ラインを通して水を流すこと、
混合流体を形成するように、無水液体アンモニアおよび硫酸の第１部分をプロセス・ラインにおける水に添加および混合すること、
前記混合流体を熱交換機に流すことによって該混合流体を冷却すること、ならびに
ベース生成物流体を形成するように、硫酸の第１部分よりも重い硫酸の第２部分を前記混合流体に添加することを含んで成る、
方法。
【請求項１９】
硫酸の第２部分の前記混合流体への添加により、以下の式を有するキレート化合物が形成され、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０である、請求項１８に記載の方法。
【請求項２０】
前記キレート化合物が金属塩をキレート化することができる、請求項１８または１９に記載の方法。
【請求項２１】
硫酸の第２部分と硫酸の第１部分との重量比が、約２：１〜約７：１である、請求項１８〜２０のいずれかに記載の方法。
【請求項２２】
前記アンモニアを、大気圧を超える圧力で該アンモニアの沸点未満の温度まで冷却することによって、該アンモニアを液体として維持することをさらに含んで成る、請求項１８〜２１のいずれかに記載の方法。
【請求項２３】
前記プロセス・ラインにおける圧力を約４０ｐｓｉｇ〜約８０ｐｓｉｇに維持することをさらに含んで成る、請求項１８〜２２のいずれかに記載の方法。
【請求項２４】
最終生成物を形成するように、前記ベース生成物流体と金属塩および水とを組合せることをさらに含んで成る、請求項１８〜２３のいずれかに記載の方法。
【請求項２５】
水処理溶液であって、
以下の式を有するキレート化合物、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０であり、
１またはそれよりも多い金属塩、および
水を含んで成る、
溶液。
【請求項２６】
前記水処理溶液が、農業用処理溶液である、請求項２５に記載の溶液。
【請求項２７】
前記金属塩が、亜鉛、マグネシウム、マンガン、セレン、モリブデン、鉄、ホウ素、コバルト、銅の塩、またはそれらの組合せを含んで成る、請求項２５または２６に記載の溶液。
【請求項２８】
前記キレート化合物が前記金属塩をキレート化する、請求項２５〜２７のいずれかに記載の溶液。
【請求項２９】
前記水処理溶液が約２未満のｐＨを有する、請求項２５〜２８のいずれかに記載の溶液。
【請求項３０】
水処理溶液を製造するための方法であって、
１またはそれよりも多い金属塩をベース生成物流体および水に添加することを含んで成り、
前記ベース生成物流体が、以下の式を有するキレート化合物を含んで成り、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０である、
方法。
【請求項３１】
前記水処理溶液が、農業用処理溶液である、請求項３０に記載の方法。
【請求項３２】
前記金属塩が、亜鉛、マグネシウム、マンガン、セレン、モリブデン、鉄、ホウ素、コバルト、銅の塩、またはそれらの組合せを含んで成る、請求項３０または３１に記載の方法。
【請求項３３】
前記金属塩を前記キレート化合物に添加することが、ほとんどまたは全く熱を発生させない、請求項３０〜３２のいずれかに記載の方法。
【請求項３４】
前記水処理溶液が約２未満のｐＨを有する、請求項３０〜３３のいずれかに記載の方法。
【請求項３５】
水を処理する方法であって、
処理が必要な水に水処理溶液を添加することを含んで成り、
前記水処理溶液が、金属塩および以下の式を有するキレート化合物を含んで成り、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０である、方法。
【請求項３６】
前記金属塩が、亜鉛、マグネシウム、マンガン、セレン、モリブデン、鉄、ホウ素、コバルト、銅の塩、またはそれらの組合せを含んで成る、請求項３５に記載の方法。
【請求項３７】
前記水処理溶液が、前記処理が必要な水において有害な軟体類を制御する、請求項３５または３６に記載の方法。
【請求項３８】
前記水処理溶液が、前記処理が必要な水から味および／または臭気を除去し、該処理が必要な水が飲料水である、請求項３５〜３７のいずれかに記載の方法。
【請求項３９】
前記水処理溶液が、前記処理が必要な水において蚊を殺す、請求項３５〜３８のいずれかに記載の方法。
【請求項４０】
前記水処理溶液が、前記処理が必要な水におけるバクテリアを制御し、該処理が必要な水がスイミング・プールである、請求項３５〜３９のいずれかに記載の方法。
【請求項４１】
前記水処理溶液が、前記処理が必要な水においてアルジサイドとして使用される、請求項３５〜４０のいずれかに記載の方法。
【請求項４２】
前記水処理溶液が、前記処理が必要な水から微生物を除去する、請求項３５〜４１のいずれかに記載の方法。
【請求項４３】
前記処理が必要な水が、水の静的な状態を含んで成る、請求項３５〜４２のいずれかに記載の方法。
【請求項４４】
農産物を処理する方法であって、
農業用処理溶液を農作物に添加することを含んで成り、
前記農業用処理溶液が、１またはそれよりも多い金属塩および以下の式を有するキレート化合物を含んで成り、
（（ＮＨ４）２ＳＯ４）ａ・（Ｈ２ＳＯ４）ｂ・（Ｈ２Ｏ）ｃ・（ＮＨ４ＨＳＯ４）ｘ
ａが１〜５であり、ｂが１〜５であり、ｃが１〜５であり、またｘが１〜１０である、方法。
【請求項４５】
前記金属塩が、亜鉛、マグネシウム、マンガン、セレン、モリブデン、鉄、ホウ素、コバルト、銅の塩、またはそれらの組合せを含んで成る、請求項４４に記載の方法。
【請求項４６】
前記農業用処理溶液が、前記農作物のための微量栄養素を含んで成る前記金属塩の少なくとも１つを該農作物に送る、請求項４４または４５に記載の溶液。
【請求項４７】
前記農業用処理溶液を除草剤に添加することをさらに含んで成り、該農業用処理溶液が除草剤のアジュバントである、請求項４４〜４６のいずれかに記載の溶液。
【請求項４８】
前記農業用処理溶液を肥料に添加することをさらに含んで成り、該農業用処理溶液が肥料のアジュバントである、請求項４４〜４７のいずれかに記載の溶液。
【請求項４９】
以下の式を有するキレート化合物。
（（ＮＨ４）２ＳＯ４）ａ・（Ｈ２ＳＯ４）ｂ・（Ｈ２Ｏ）ｃ・（ＮＨ４ＨＳＯ４）ｘ